(57)【特許請求の範囲】
【請求項１】
４つの側面板と前記４つの側面板により構成される筒体の各端面に設けられる２つの端面板とを備えて構成される略直方体状の包装箱であって、
前記側面板の少なくともいずれかに、当該包装箱の内容物に関する情報が記載された、表示板が切除可能に設けられ、
前記端面板の少なくともいずれかに、前記情報が外部から視認可能な状態となるように前記表示板を取り外し可能な状態で保持する装着部を備え、
前記表示板は、前記装着部に装着された際に前記端面板の領域に収まる外形を呈し、
前記端面板の全部又は一部を覆うように設けられる透明シートを有し、
前記装着部は、前記透明シートと前記端面板との間に前記表示板を挟持することにより前記表示板を保持する構造を有する
ことを特徴とする包装箱。
【請求項２】
請求項１に記載の包装箱であって、
前記装着部は、前記透明シートと前記端面板との間に前記表示板を差し込むためのスリットを有する
包装箱。
【請求項３】
請求項２に記載の包装箱であって、
前記端面板は、その縁部の前記スリットの近傍に切り欠きを有する
包装箱。
【請求項４】
４つの側面板と前記４つの側面板により構成される筒体の各端面に設けられる２つの端面板とを備えて構成される略直方体状の包装箱であって、
前記側面板の少なくともいずれかに、当該包装箱の内容物に関する情報が記載された、表示板が切除可能に設けられ、
前記端面板の少なくともいずれかに、前記情報が外部から視認可能な状態となるように前記表示板を取り外し可能な状態で保持する装着部を備え、
前記表示板は、前記装着部に装着された際に前記端面板の領域に収まる外形を呈し、
前記端面板の表面に切り込みが形成され、
前記装着部は、前記表面板を前記切り込みに差し込むことにより前記表示板を保持する構造である
包装箱。
【請求項５】
請求項１乃至４のいずれか一項に記載の包装箱であって、
前記側面板の少なくともいずれかに、当該包装箱の内容物に関する情報が記載された複数の前記表示板が切除可能に設けられている、
包装箱。
【請求項６】
請求項１乃至４のいずれか一項に記載の包装箱であって、
前記表示板は、前記側面板に重ねて設けられている
包装箱。
【請求項７】
請求項１乃至４のいずれか一項に記載の包装箱であって、
該包装箱はブランクシートから打ち抜かれた形成片からなり、
前記形成片には、
前記４つの側面板が互いに平行な折曲線を介して連接され、
前記２つの端面板が夫々、前記４つの側面板のいずれかの前記４つの側面板の連接方向に直角な方向に延設され、
前記４つの側面板の連接方向の一端に前記表示板が破断線を介して延設され、
前記形成片を前記折曲線で折り曲げて接続することにより前記４つの側面板を有する角筒状の筒体が形成され、前記筒体の各端面を塞ぐように前記端面板が設けられ、前記表示板は前記側面板の一つと重なった状態となる、
包装箱。
【発明の詳細な説明】
【技術分野】
【０００１】
この発明は、包装箱に関し、とくに包装箱の内容物に関する情報を管理する技術に関する。
【背景技術】
【０００２】
特許文献１には、薬品等を収納する包装容器に関し、容器を開封せずとも情報カードを取り出すことのできる包装容器を提供するべく、包装容器の複数の面のうち開封面と異なる面の少なくとも一面を外側片及び内側片から成る二重構造とし、外側片に内容物情報を印刷し、外側片の一部または全部が切除されるように、内容物情報の周囲に切除部を構成することが記載されている。
【０００３】
特許文献２には、一般の需要者が開封するまでは医薬品と共に内部に封入されている添付文書を開封後にも紛失することなく確実に保管し得るようにするために、医薬品を収納するための収納容器の所要位置に、破断することにより添付文書を差込み保管するためのスリット状の保管ポケットが形成されるようにした刻み目を設けた医薬品の収納容器構造について開示されている。
【先行技術文献】
【特許文献】
【０００４】
【特許文献１】実用新案登録第３１７２０９９号公報
【特許文献２】実用新案登録第３１０４３１１号公報
【発明の概要】
【発明が解決しようとする課題】
【０００５】
医療機関や薬局等においては、医師から出された処方箋に従って誤りなく調剤を行うべく、薬品棚にストックされている多数の医薬品について、医薬品の名称、種別、有効期限（使用期限）、製造番号、ロット番号等の情報を付帯させて管理している。ここで医療機関や薬局等において行われる作業、即ち、薬品棚にストックされている多数の医薬品の中から処方箋に従って医薬品を取り揃える作業（以下、ピッキングとも称する。）は、必ずしも医薬品の包装箱を単位として行われるわけではなく、ＰＴＰシート単位、錠剤単位、薬包単位等で行われる。そのため、包装箱に入っていた医薬品を使い切ってしまうまでは残存する医薬品に上記情報を付帯させて管理する必要がある。そこで医療機関や薬局等においては、包装箱の表面に記載されている情報の切り抜きや医薬品とともに包装箱に同梱されている添付文書等を、例えば、残存する医薬品（ＰＴＰシート、薬包等）に輪ゴムで括り付けておく、医薬品の種類等ごとに用意した薬品籠に残存する医薬品とともに入れて管理しておく、といった方法で対応している。
【０００６】
しかし上記のような方法で対応した場合、切り抜きや添付文書の内容を確認するために、薬品棚に置かれている医薬品や薬品籠をいちいち手元に取ってくる必要があり、薬剤師等のスタッフは面倒な作業を強いられていた。またこうした現場においては、薬品棚のスペースの有効利用や積み上げた包装箱の荷崩れを防止するため、包装箱を夫々の端面が前面を向くように揃えて薬品棚に積み上げて管理していることが少なくないが、例えば、必要とする情報が包装箱の側面に記載されているような場合には、医薬品が崩れないように注意して医薬品を抜き取る必要があり、スタッフは煩雑な作業を強いられていた。
【０００７】
本発明は上記課題に鑑みてなされたもので、包装箱の内容物を当該内容物に関する情報とともに管理する必要がある場合において、内容物を上記情報とともに効率よく管理することを可能する包装箱を提供することを目的としている。
【課題を解決するための手段】
【０００８】
上記目的を達成するための本発明の一つは、４つの側面板と前記４つの側面板により構成される筒体の各端面に設けられる２つの端面板とを備えて構成される略直方体状の包装箱であって、前記側面板の少なくともいずれかに、当該包装箱の内容物に関する情報が記載された、表示板が切除可能に設けられ、前記端面板の少なくともいずれかに、前記情報が外部から視認可能な状態となるように前記表示板を取り外し可能な状態で保持する装着部を備え、前記表示板は、前記装着部に装着された際に前記端面板の領域に収まる外形を呈する。
【０００９】
本発明によれば、包装箱の側面側に記載されている当該包装箱の内容物に関する情報を包装箱の端面側に容易に転移させることができる。そのため、例えば、収納スペースの有効利用等を目的として、夫々の端面の方向をユーザが存在する方向に向けて多数の包装箱が管理される状況において、ユーザが存在する方向に内容物に関する情報を表示させることができ、包装箱並びにその内容物を取り扱うユーザの作業効率を向上させることができる。このように本発明によれば、包装箱の内容物を当該内容物に関する情報とともに管理する必要がある場合において、内容物を上記情報とともに効率よく管理することができる。
【００１０】
本発明のうちの他の一つは、上記包装箱であって、前記端面板の全部又は一部を覆うように設けられる透明シートを有し、前記装着部は、前記透明シートと前記端面板との間に前記表示板を挟持することにより前記表示板を保持する構造を有する。
【００１１】
本発明によれば、表示板を端面に確実に保持する仕組みを簡素かつ安価に実現することができる。
【００１２】
本発明のうちの他の一つは、上記包装箱であって、前記装着部は、前記透明シートと前記端面板との間に前記表示板を差し込むためのスリットを有する。
【００１３】
本発明によれば、表示板を容易に装着部に装着することができる。
【００１４】
本発明のうちの他の一つは、上記包装箱であって、前記端面板は、その縁部の前記スリットの近傍に切り欠きを有する。
【００１５】
本発明によれば、装着部への表示板の脱着を容易に行うことができる。
【００１６】
本発明のうちの他の一つは、上記包装箱であって、前記端面板の表面に切り込みが形成され、前記装着部は、前記表面板を前記切り込みに差し込むことにより前記表示板を保持する構造である。
【００１７】
本発明によれば、表示板を包装箱の端面に確実に保持する仕組みを簡素かつ安価に実現することができる。
【００１８】
本発明のうちの他の一つは、上記包装箱であって、前記表示板の前記情報が記載された面の裏面に粘着剤が塗布され、前記表示板は前記粘着剤により前記端面に装着される。
【００１９】
本発明によれば、表示板を包装箱の端面に保持する仕組みを簡素かつ安価に実現することができる。
【００２０】
本発明のうちの他の一つは、上記包装箱であって、前記側面板の少なくともいずれかに、当該包装箱の内容物に関する情報が記載された複数の前記表示板が切除可能に設けられている。
【００２１】
本発明によれば、例えば、複数の表示板の夫々に異なる情報を記載することで、包装箱のユーザは目的に応じて端面に表示させる情報（表示板）を自由に選択することができ、包装箱が用いられる個々の現場のニーズに柔軟に対応することができる。
【００２２】
本発明のうちの他の一つは、上記包装箱であって、前記表示板は、前記側面板に重ねて設けられていることとする。
【００２３】
本発明によれば、包装箱の堅牢性を高めることができる。
【００２４】
本発明のうちの他の一つは、上記包装箱であって、前記表示板は、前記装着部に装着された際に前記端面板の領域に収まる外形を呈する。
【００２５】
本発明によれば、例えば、多数の包装箱が収納棚等に管理される場合に、隣接する包装箱を密着して配置することができ、収納棚のスペースの有効利用を図ることができる。
【００２６】
本発明のうちの他の一つは、上記包装箱であって、ブランクシートから打ち抜かれた形成片からなり、前記形成片には、前記４つの側面板が互いに平行な折曲線を介して連接され、前記２つの端面板が夫々、前記４つの側面板のいずれかの前記４つの側面板の連接方向に直角な方向に延設され、前記４つの側面板の連接方向の一端に前記表示板が破断線を介して延設され、前記形成片を前記折曲線で折り曲げて接続することにより前記４つの側面板を有する角筒状の筒体が形成され、前記筒体の各端面を塞ぐように前記端面板が設けられ、前記表示板は前記側面板の一つと重なった状態となることとする。
【００２７】
このように、本発明の包装箱は、ブラックシートから打ち抜いた形成片により容易かつ安価に製造することができる。
【００２８】
その他、本願が開示する課題、及びその解決方法は、発明を実施するための形態の欄、及び図面により明らかにされる。
【発明の効果】
【００２９】
本発明によれば、包装箱の内容物を当該内容物に関する情報とともに管理する必要がある場合において、内容物を上記情報とともに効率よく管理することができる。
【図面の簡単な説明】
【００３０】
【図１】一実施形態として説明する包装箱１０の開封前の状態（封かん状態）を示す斜視図である。
【図２】包装箱１０の開封後の状態を示す斜視図である。
【図３】包装箱１０の形成片（ブランク５）を示す図である。
【図４】包装箱１０から表示板５１を切り離して装着部７０に装着する様子を示す図である。
【図５】表示板５１が装着された後の包装箱１０の状態を示す図である。
【図６】多数の包装箱１０が薬品棚６０に収納されている様子を示す図である。
【図７】装着部７０の他の一例を示す図である。
【図８】装着部７０の他の一例を示す図である。
【図９】装着部７０の他の一例を示す図である。
【発明を実施するための形態】
【００３１】
以下、本発明の実施の形態につき図面とともに説明する。
【００３２】
図１に本発明の一実施形態として説明する包装箱１０の開封前の状態（封かん状態）を示す斜視図を、図２に包装箱１０の開封後の状態を示す斜視図を、図３に包装箱１０の形成片（以下、「ブランク５」とも称する。）を、夫々示している。図３はブランク５を包装箱１０の表面側から眺めた図である。図１又は図２に示す包装箱１０は、図３に示すブランク５を組み立てることにより構成することができる。ブランク５は、例えば、厚紙や板紙等のブランクシートを打ち抜くことにより形成される。
【００３３】
図３に示すように、ブランク５は、包装箱１０の角筒状の筒体を形成し、夫々の長尺辺が互いに平行になるように連接配置された４つの側面板（第１側面板１１、背面板１２、第２側面板１３、及び正面板１４）と、これら４つの側面板の連接方向の一端に延設される表示片５０と、背面板１２の上記連接方向に対して直角方向の短尺辺に延設された第１端面板１５（天井面板）、及び正面板１４の上記連接方向に対して直角方向の短尺辺に延設された第２端面板１６（底面板）とを有する。第１側面板１１、背面板１２、第２側面板１３、正面板１４、及び表示片５０は、夫々の長尺辺を境界としてこの順に連接している。
【００３４】
第１側面板１１の、背面板１２が連接する長尺辺に対向する長尺辺には細長の糊付片１７が延設している。糊付片１７は、包装箱１０を組み立てた状態で正面板１４の内側（裏側）に接着剤（ホットメルト等）によって接着される。
【００３５】
背面板１２と正面板１４はほぼ同形状（略長方形状）であり、これらは包装箱１０の一対の側面を構成する。また第１側面板１１と第２側面板１３はほぼ同形状（略長方形状）であり、包装箱１０の一対の側面を構成する。第１端面板１５（天井面板）及び第２端面板１６（底面板）は、夫々、４つの側面板で構成される包装箱１０の前述した角筒状の筒体の対向する２つの端面を塞ぐように設けられる。表示片５０は、第１側面板１１（又は第２側面板１３）とほぼ同形状（略長方形状）である。表示片５０は、包装箱１０が組み立てられた状態において第１側面板１１との間で二重（二層）構造を形成する。即ち表示片５０は包装箱１０の堅牢性を増大させる役割も果たす。尚、本実施形態における包装箱１０は、背面板１２（又は正面板１４）の面積が第１側面板１１（又は第２側面板１３）の面積よりも広くなっているが、背面板１２（又は正面板１４）の面積や第１側面板１１（又は第２側面板１３）の大きさは必ずしも同図に示す態様に限られない。
【００３６】
包装箱１０が、例えば、医薬品の収納容器として用いられる場合、背面板１２の表面には、例えば、医薬品の名称等の情報が、第１側面板１１並びに第２側面板１３の表面には、例えば、医薬品の名称、種別、特性、成分、効能、用法、用量、有効期限（使用期限）、コード（ＲＳＳコード、ＲＳＳコンポジットコード、ＪＡＮコード等）等の情報が、正面板１４の表面には、例えば、医薬品の名称、内容物に関する情報（錠数、薬包数、製造元、連絡先等）が、第１端面板１５並びに第２端面板１６の表面には、例えば、医薬品の名称等の情報が、印字もしくは印刷される。尚、ドラッグストア等の店頭で販売される場合を想定し、第１端面板１５並びに第２端面板１６の表面には、医薬品の名称等の宣伝広告に関わる情報が積極的に表示される。
【００３７】
同図に示すように、第１側面板１１の、包装箱１０を組み立てた状態で第１端面板１５が存在する側には、折曲線を介してサイドフラップ１１１が、また第１側面板１１の、包装箱１０を組み立てた状態で第２端面板１６が存在する側には、折曲線を介してサイドフラップ１１２が、夫々延設されている。また第２側面板１３の、包装箱１０を組み立てた状態で第１端面板１５が存在する側には、折曲線を介してサイドフラップ１３１が、また第２側面板１３の、包装箱１０を組み立てた状態で第２端面板１６が存在する側には、折曲線を介してサイドフラップ１３２が、夫々延設されている。
【００３８】
同図に示すように、第１端面板１５の、背面板１２が連接する側と対向する側には、折曲線を介してフラップ１５１が延設されている。また正面板１４の、包装箱１０を組み立てた状態で第２端面板１３が存在する側には、折曲線を介して第２端面板１６が延設されている。
【００３９】
同図に示すように、第１側面板１１と背面板１２との境界には折曲線３１が、背面板１２と第２側面板１３と背面板１２との境界には折曲線３２が、第２側面板１３と正面板１４との境界には折曲線３３が、夫々形成されている。また背面板１２と第１端面板１５との境界には破断線３４（ミシン目等）が、背面板１２とフラップ１２１との境界には折曲線３５が、第１端面板１５とフラップ１５１との境界には破断線３６（ミシン目等）が、夫々形成されている。破断線３４及び破断線３６は、包装箱１０の組立時や使用時には折曲線として機能し、包装箱１０の解体時には破断されて包装箱１０の解体を容易にする役割を果たす。
【００４０】
第１側面板１１と糊付片１７との境界には破断線３７（ミシン目等）が形成されている。破断線３７は、包装箱１０の組立時や使用時においては折曲線として機能し、包装箱１０の解体時には破断されて包装箱１０の解体を容易にする役割を果たす。
【００４１】
正面板１４と第２端面板１６との境界には破断線３８（ミシン目等）（中央部は折曲線）が形成されている。正面板１４の、第２端面板１６が延設する側の縁部の中央付近には、略矩形状の押込部１４２が形成されている。押込部１４２の周縁には、破断線３８に連続する破断線３９が形成されている。押込部１４２は第２端面板１６と一体的である。破断線３８は、包装箱１０の組立時や使用時には折曲線として機能し、包装箱１０の解体時には破断されて包装箱１０の解体を容易にする役割を果たす。破断線３９は、押込部１４２が押し込まれることにより破断して包装箱１０の解体を容易にする役割を果たす。
【００４２】
正面板１４と表示片５０との境界には破断線４０（ミシン目等）が形成されている。破断線４０は、後述する表示板５１（第１表示板５１ａ又は第２表示板５１ｂ）の切り離しを容易にする目的で設けられる。
【００４３】
フラップ１５１の中央付近には、略矩形状の指掛孔１５２が形成されている。またフラップ１５１の中央付近には、破断線３６に略平行に破断線１５３（ミシン目等）が形成されている。以下、フラップ１５１の、破断線１５３に対してフラップ１５１の先端側の部分をフラップ端部１５１ａと、フラップ１５１の、破断線１５３に対して第１端面板１５の側の部分を差込部ｂと称する。
【００４４】
フラップ１５１は、フラップ端部１５１ａの裏面については正面板１４の表面に糊付けされているが、差込部１５１ｂの裏面については糊付けされていない。そのため、ユーザが指掛孔１５２に指を差し込んで差込部１５１ｂを持ち上げるように操作すると、裏面が糊付けされていない差込部１５１ｂのみがせり上がって破断線３６が破断し、差込部１５１ｂとフラップ端部１５１ａが分離される。即ち、上記の操作を行うことで、包装箱１０を第１端面板１５の側から開封することができる。尚、破断線１５３は、包装箱１０が開封済か否かを表示する未開封／開封証明としても機能する。図２に示すように、破断線１５３が破断された後は差込部１５１ｂのみが第１端面板１５に残留する。
【００４５】
正面板１４の、包装箱１０を組み立てた状態で第１端面板１５に接する側の端縁の中央付近には、第１端面板１５の開閉操作を容易にするための略半円形の切り欠き１４３が形成されている。
【００４６】
図３に示すように、表示片５０には、第１表示板５１ａ、第２表示板５１ｂ、及び残留片５２が、この順に連接されている。前述したように、正面板１４と表示片５０との境界には破断線４０が形成されている。また第１表示板５１ａと第２表示板５１ｂの境界には破断線４１ａが、また第２表示板５１ｂと残留片５２の境界には破断線４１ｂが形成されている。第１表示板５１ａ又は第２表示板５１ｂは、これらの破断線４０，４１ａ，４１ｂによって夫々個別に包装箱１０から切り離すことが可能である。第１表示板５１ａには、第１表示板５１ａを装着部７０に装着する際に持ち手として機能するつまみ部５１１が形成されている。
【００４７】
包装箱１０が、例えば、医薬品の収納容器として用いられる場合、表示板５１（以下、第１表示板５１ａ及び第２表示板５１ｂを、表示版５１と総称することがある）の表面には、例えば、医薬品の名称、種別、有効期限（使用期限）、製造番号、ロット番号、コード等の情報が記載される。尚、本実施形態の包装箱１０では、表示片５０に２つの表示板５１（第１表示板５１ａ，第２表示板５２ｂ）を設けているが、表示片５０には、表示板５１を１つのみ設けてもよいし、３つ以上の表示板５１を設けてもよい。また表示片５０に複数の表示板５１を設けた場合、各表示板５１に記載する情報は同じでもよいし、表示板５１ごとに異なる情報を記載してもよい。後者の場合、包装箱１０のユーザは、夫々の目的に応じて使用する表示板５１を自由に選択することができ、包装箱１０が用いられる個々の現場のニーズに柔軟に対応することができる。
【００４８】
図１に示すように、包装箱１０は、表示片５０から切り離した表示板５１を第１端面板１１の側に保持するための装着部７０を備える。装着部７０は、表示板５１に記載されている情報が外部から視認可能な状態となるように表示板５１を保持する。装着部７０は、第１端面板１５の表面を覆うように設けられた透明シート７１を含む。透明シート７１は、例えば、樹脂製のフィルムである。装着部７０は、透明シート７１と第１端面板１５との間に表示板５１を挟持することにより表示板５１を保持する。透明シート７１は、第１端子板１５よりも、フラップ１５１の方向及び背面板１２の方向にやや長尺であり、このうちフラップ１５１の側に延出する端部領域についてはフラップ１５１の表面に、背面板１２の側に延出する端部領域については背面板１２の表面に、夫々接着剤（ホットメルト等）により接着されている。透明シート７１の、破断線３４に平行な方向の両端には、第１端面板１５との間に表示板５１を挟み込む際の表示板５１の挿入口となるスリット７５（隙間）が形成されている。
【００４９】
第１端面板１５の、破断線３４に平行な方向の両端には、装着部７０に装着されている表示板５１を容易に取り外すことができるよう、略半円状の切り欠き１５５が形成されている。尚、同様の目的で、例えば、透明シート７１の破断線３４に平行な方向の両端に切り欠きを設けてもよい。
【００５０】
続いて、以上に説明した包装箱１０の使用方法の具体例について説明する。以下では、包装箱１０が医薬品の収納容器として用いられる場合を例として説明する。
【００５１】
医療機関や薬局等において調剤行為を行っている薬剤師等のスタッフは、医薬品メーカや卸売り業者等から搬入された包装箱１０（製品）を、内容物（医薬品）の種類ごとに分類して薬品棚に収納する。このとき、スタッフは、図４に示すように包装箱１０から表示板５１を切り離し、切り離した表示板５１をスリット７５から第１端子板１５と透明シート７１との間に挿入することにより、装着部７０に表示板５１を装着する。図５に表示板５１が装着された後の包装箱１０の状態を示す。
【００５２】
続いてスタッフは、図６に示すように、第１端面板１５に設けられている表示板５１がスタッフの存在する方向を向くように、包装箱１０を縦横に重ねて薬品棚６０に載置する。同図に示すように、いずれの包装箱１０についても、表示板５１が装着されている第１端子板１５の側をスタッフの存在する方向に向けて薬品棚６０に収納されている。このため、スタッフは、医師から出された処方箋に従ってピッキングを行う際、包装箱１０をいちいち薬品棚６０から取り出す必要はなく、薬品棚６０の方向を眺めるだけで容易に目的とする医薬品を見つけ出すことができる。また表示板５１に、例えば、有効期限（使用期限）が表示されている場合、スタッフは、薬品棚６０の方向を眺めるだけで、薬品棚６０に収納されている医薬品の有効期限（使用期限）を確認することができる。
【００５３】
包装箱１０に収納されている医薬品の量が減ってくると、スタッフは、薬品棚６０の収納スペースの有効利用を図るべく、包装箱１０から医薬品を取り出し、取り出した医薬品の管理形態を、包装箱１０を用いた管理形態から、内容物をそのままの状態（例えば、ＰＴＰシートや薬包のままの状態）で管理する形態に切り替える。このとき、スタッフは、包装箱１０の装着部７０に設けられている表示板５１を取り外し、取り外した表示板５１を包装箱１０から取り出した医薬品に輪ゴム等で括り付けるか、もしくは、取り出した医薬品とともに医薬品の種類等ごとに用意されている薬品籠に投入する。このように、本実施形態の包装箱１０にあっては、装着部７０に装着されている表示板５１を装着部７０から簡単に取り外すことができるので、上記のように包装箱１０を用いた管理形態から内容物そのままでの管理形態に移行する際のスタッフの作業負荷が少なくて済む。即ち、スタッフは、表示板５１の内容を新たに書き写す等の面倒な作業を強いられることもなく、表示板５１をいわば情報の遺伝子として使い回すことができる。尚、医薬品を取り出した後の包装箱１０については、例えば、廃棄処分とする。
【００５４】
以上に説明したように、本実施形態の包装箱１０は、側面側に記載されている当該包装箱１０の内容物に関する情報を、包装箱１０の端面側に容易に転移させることができる。このため、例えば、収納スペースの有効利用等を目的として夫々の端面の方向をスタッフ等のユーザが存在する方向に向けて多数の包装箱１０が管理される場合でも、ユーザが存在する方向に内容物に関する情報を簡単に表示させることができる。このように本実施形態の包装箱１０によれば、包装箱１０の内容物を当該内容物に関する情報とともに管理する必要がある場合において、内容物を上記情報とともに効率よく管理することができる。
【００５５】
尚、以上の説明は、本発明の理解を容易にするためのものであり、本発明を限定するものではない。本発明は、その趣旨を逸脱することなく、変更、改良され得ると共に、本発明にはその等価物が含まれる。
【００５６】
例えば、透明シート７１は、第１端子板１５の全面ではなく、第１端子板１５の一部の領域のみを覆うように設けてもよい。そのような構成とした包装箱１０の一例を図７に示す。同図に示すように、この例では、表示板５１を透明シート７１と第１端子板１５との間に挿入するためのスリット７６（隙間）を透明シート７１の上端に設けている。このように透明シート７１を第１端子板１５の一部のみを覆うように設けた場合、透明シート７１の脱着が容易になり、また製造時の透明シート７１の使用量も減るので包装箱１０の製造コストを低減することができる。
【００５７】
また例えば、包装箱１０の端面（第１端子板１５）に一つ以上の切り込み８０を設けておき、表示板５１を切り込み８０に差し込むことにより表示板５１を保持するようにしてもよい。その場合の一例を図８に示す。このようにすれば、包装箱１０に装着部７０を容易かつ安価に設けることができる。
【００５８】
また例えば、表示板５１の裏面にあらかじめ粘着剤を塗布しておき、包装箱１０から切り離した表示板５１を、粘着剤（もしくは接着剤）によって包装箱１０の端面に装着するようにしてもよい。その場合の一例を図９に示す。これによれば、第１端子板１５に特別な構造を設ける必要がなく、容易かつ安価に包装箱１０に装着部７０を設けることができる。尚、上記粘着剤としては、通常は剥がれにくいが、表示板５１をユーザが意図的に外そうとした際は容易に剥がすことができる程度の粘着力を有するものを用いることが好ましい。
【符号の説明】
【００５９】
５  ブランク、１０  包装箱、１１  第１側面板、１２  背面板、１２１  フラップ、１３  第２側面板、１４  正面板、１６  第２端面板、１４２  押込部、１４３  切り欠き、１５  第１端面板、１５１  フラップ、１５１ａ  フラップ端部、１５１ｂ  差込部、１５２  指掛孔、１５３  破断線、１５５  切り欠き、１７  糊付片、３１〜３７  折曲線、３８〜４０  破断線、４１ａ，４１ｂ  破断線、５０  表示片、５１  表示板、５１ａ  第１表示板、５１ｂ  第２表示板、５１１  つまみ部、７０  装着部、７１  透明シート、７５  スリット、８０  切り込み
【図１】
0006650201.tif 000002
【図２】
0006650201.tif 000003
【図３】
0006650201.tif 000004
【図４】
0006650201.tif 000005
【図５】
0006650201.tif 000006
【図６】
0006650201.tif 000007
【図７】
0006650201.tif 000008
【図８】
0006650201.tif 000009
【図９】
0006650201.tif 000010